(57)【特許請求の範囲】
【請求項１】
無線通信を行う第１の通信手段、及び外部機器と通信を行う第２の通信手段を備え、
前記第２の通信手段が外部機器との接続を検知すると、前記第１の通信手段による無線通信を不可とする電波ＯＦＦモードに設定し、前記外部機器からのアクセスに従ってデータ処理を行い、
前記第２の通信手段が外部機器との非接続を検知すると、電波ＯＦＦモードを解除して無線通信可能とした携帯無線機において、
外部機器からのデータ処理のためのアクセスを監視し、予め設定された時間の間前記アクセスがないとき、電波ＯＦＦモードを解除するアクセス監視手段と、
前記電波ＯＦＦモードが解除された場合に、第１の通信手段を介して着信の有無の問い合わせを行うと共に、その応答を受信した後に、電波ＯＦＦモードに再度設定する着信処理手段と、
前記電波ＯＦＦモードが解除された場合であって、外部機器からのデータ処理のためのアクセスがあった場合、前記データ処理を行わせないようにするための情報を前記外部機器に送信する外部機器制御手段と、
を備えたことを特徴とする携帯無線機。
【請求項２】
請求項１に記載の携帯無線機において、
前記着信処理手段が、前記応答を受信したとき着信情報も取得することを特徴とする携帯無線機。
【請求項３】
請求項１に記載の携帯無線機において、
前記着信処理手段が、着信有りの応答を受信したとき、着信情報の取得または非取得を選択するための画面を表示し、ユーザにより着信情報の取得が選択された場合には、着信情報を取得して電波ＯＦＦモードに再設定し、ユーザにより着信情報の非取得が選択された場合には、電波ＯＦＦモードに再設定することを特徴とする携帯無線機。
【請求項４】
請求項１に記載の携帯無線機において、
さらに、前記着信の有無の問い合わせの応答が着信有りの場合の処理として、着信情報の取得または非取得を予め設定する着信設定手段を備え、
前記着信処理手段が、着信有りの応答を受信したとき、着信設定手段により着信情報の取得が予め設定されている場合には、着信情報を取得して電波ＯＦＦモードに再設定し、着信情報の非取得が予め設定されている場合には、電波ＯＦＦモードに再設定することを特徴とする携帯無線機。
【請求項５】
請求項１に記載の携帯無線機において、
前記着信処理手段が、前記電波ＯＦＦモードが解除された場合に、第１の通信手段を介して着信の有無の問い合わせを行うと共に、その応答を受信した後に、または、電波ＯＦＦモードが解除されてから予め設定された時間が経過したとき、電波ＯＦＦモードに再度設定することを特徴とする携帯無線機。
【請求項６】
請求項１に記載の携帯無線機において、
前記アクセス監視手段が、着信処理手段により電波ＯＦＦモードに再度設定された場合に、外部機器からのデータ処理のためのアクセスを監視し、予め設定された時間の間前記アクセスがないとき、電波ＯＦＦモードを再度解除することを特徴とする携帯無線機。
【請求項７】
無線通信を行う通信手段、及び外部機器と通信を行う他の通信手段を備えた携帯無線機が、外部機器の接続を検知すると、無線通信を不可とする電波ＯＦＦモードに設定し、前記外部機器からのアクセスに従ってデータ処理を行い、さらに、外部機器との非接続を検知すると、電波ＯＦＦモードを解除して無線通信を行う場合の通信制御方法において、
電波ＯＦＦモード中に、外部機器からのデータ処理のためのアクセスを監視し、予め設定された時間の間前記アクセスがないとき、電波ＯＦＦモードを解除する第１のステップと、
前記電波ＯＦＦモードが解除された場合であって、外部機器からのデータ処理のためのアクセスがあった場合、前記データ処理を行わせないようにするための情報を前記外部機器に送信すると共に、無線通信における着信の有無の問い合わせを行い、かつその応答を受信する第２のステップと、
前記応答を受信した後に、電波ＯＦＦモードに再度設定する第３のステップと、
を有することを特徴とする通信制御方法。
【請求項８】
請求項７に記載の通信制御方法において、
前記第２のステップにて、前記電波ＯＦＦモードが解除された場合であって、外部機器からのデータ処理のためのアクセスがあった場合、前記データ処理を行わせないようにするための情報を前記外部機器に送信すると共に、無線通信を介して着信情報を取得し、
前記第３のステップにて、第２のステップにより着信情報を取得した場合に、電波ＯＦＦモードに再度設定することを特徴とする通信制御方法。
【請求項９】
請求項７に記載の通信制御方法において、
前記第３のステップにて、
着信有りの応答を受信したとき、着信情報の取得または非取得を選択するための画面を表示するステップと、
ユーザにより着信情報の取得が選択された場合には、着信情報を取得した後電波ＯＦＦモードに再設定し、ユーザにより着信情報の非取得が選択された場合には、電波ＯＦＦモードに再設定するステップと、を有することを特徴とする通信制御方法。
【請求項１０】
請求項７に記載の通信制御方法において、
前記第１のステップの前に、
着信の有無の問い合わせの応答が着信有りの場合の処理として、着信情報の取得または非取得を予め設定するステップを有し、
前記第３のステップにて、
着信有りの応答を受信したとき、着信情報の取得が予め設定されている場合には、着信情報を取得した後電波ＯＦＦモードに再設定し、着信情報の非取得が予め設定されている場合には、電波ＯＦＦモードに再設定するステップを有することを特徴とする通信制御方法。
【請求項１１】
請求項７に記載の通信制御方法において、
さらに、電波ＯＦＦモードが解除されてから予め設定された時間が経過したとき、電波ＯＦＦモードに再度設定するステップを有することを特徴とする通信制御方法。
【請求項１２】
請求項７に記載の通信制御方法において、
前記第１乃至第３のステップを繰り返すことを特徴とする通信制御方法。
【発明の詳細な説明】
【関連出願のクロスリファレンス】
【０００１】
本出願は、日本国特許出願２００６−１２４１２４号（２００６年４月２７日出願）の優先権を要求し、参照によって当該出願を本明細書に合体させるものである。
【技術分野】
【０００２】
本発明は、ＵＳＢケーブル等により外部機器と接続する通信手段を備えた携帯電話、デジタルカメラ、ＰＤＡ等の携帯無線機において、外部機器からのアクセスと無線通信によるアクセスとの競合を回避する技術に関するものである。
【背景技術】
【０００３】
一般に、ＵＳＢ等の通信手段を介してパーソナルコンピュータ（以下、ＰＣという。）と接続された携帯電話、デジタルカメラ、ＰＤＡ等のマスストレージ機器は、ＰＣからの指令に応じてデータを読み書きすることができる（特許文献１を参照。）。【０００４】
【特許文献１】特開２００３−９９２０７号公報
【発明の開示】
【発明が解決しようとする課題】
【０００５】
ところで、携帯電話等の携帯無線機には、ＵＳＢケーブルを用いてマスストレージモードでＰＣと接続することにより、携帯無線機に搭載されているメモリカードをリムーバブルメディアとして扱うことができる機種がある。このような携帯無線機は、無線通信により、電子メール、音声データまたは画像データ等の着信があると、その内部に備えたファイルシステムにアクセスするようになっている。【０００６】
ここで、携帯無線機にＵＳＢケーブルを接続すると、携帯無線機は、ＰＣとの間でデータの読み書きが可能となるマスストレージモードに移行する。この場合、ＰＣからのデータの読み書きがあり、かつ、無線通信によるデータの着信があったとき、すなわち、これらのアクセスが競合したときには、ファイルシステムへのアクセスとメモリカードへのアクセスとが重なってしまい、ファイルシステム内のデータを破損してしまう恐れがある。【０００７】
この問題を解決するために、携帯無線機は、マスストレージモードに移行すると共に、無線通信ができない状態である電波ＯＦＦモードに移行するようになっている。つまり、ＰＣとの間でデータの読み書きが可能な状態のときには、無線通信によるデータの着信ができないように設定している。【０００８】
しかしながら、前述の携帯無線機は、マスストレージモード中に無線通信によるデータを着信することができないため、ユーザは不便である。例えば、ユーザは、マスストレージモード中に、ＰＣからメモリカードへの読み書きを行っていない場合であっても、無線通信によるデータの着信があったか否かを確認することができない。無線通信によるデータの着信を確認するためには、一旦ＵＳＢケーブルを外す等してマスストレージモードを終了させる必要がある。【０００９】
マスストレージモード中は、ＰＣからメモリカードへの読み書きを行うことはできるが、その全ての期間に渡って必ずしも読み書きを行っているとは限らない。このため、ユーザの利便性を考慮すると、マスストレージモード中であっても、ＰＣからメモリカードへの読み書きを行っていない期間を利用して、着信の有無を確認できることが望ましい。【００１０】
そこで、本発明の目的は、ＰＣ等の外部機器が接続されている場合であっても、無線通信によりデータの着信の有無を確認することが可能な携帯無線機及び通信制御方法を提供することにある。
【課題を解決するための手段】
【００１１】
上記目的を達成するために、本発明の携帯無線機は、無線通信を行う第１の通信手段、及び外部機器と通信を行う第２の通信手段を備え、前記第２の通信手段が外部機器との接続を検知すると、前記第１の通信手段による無線通信を不可とする電波ＯＦＦモードに設定し、前記外部機器からのアクセスに従ってデータ処理を行い、前記第２の通信手段が外部機器との非接続を検知すると、電波ＯＦＦモードを解除して無線通信可能とした携帯無線機において、外部機器からのデータ処理のためのアクセスを監視し、予め設定された時間の間前記アクセスがないとき、電波ＯＦＦモードを解除するアクセス監視手段と、前記電波ＯＦＦモードが解除された場合に、第１の通信手段を介して着信の有無の問い合わせを行うと共に、その応答を受信した後に、電波ＯＦＦモードに再度設定する着信処理手段と、前記電波ＯＦＦモードが解除された場合であって、外部機器からのデータ処理のためのアクセスがあった場合、前記データ処理を行わせないようにするための情報を前記外部機器に送信する外部機器制御手段と、を備えたことを特徴とする。【００１２】
また、本発明の携帯無線機は、前記着信処理手段が、前記応答を受信したとき着信情報も取得することを特徴とする。【００１３】
また、本発明による携帯無線機は、前記着信処理手段が、着信有りの応答を受信したとき、着信情報の取得または非取得を選択するための画面を表示し、ユーザにより着信情報の取得が選択された場合には、着信情報を取得して電波ＯＦＦモードに再設定し、ユーザにより着信情報の非取得が選択された場合には、電波ＯＦＦモードに再設定することを特徴とする。【００１４】
また、本発明による携帯無線機は、さらに、前記着信の有無の問い合わせの応答が着信有りの場合の処理として、着信情報の取得または非取得を予め設定する着信設定手段を備え、前記着信処理手段が、着信有りの応答を受信したとき、着信設定手段により着信情報の取得が予め設定されている場合には、着信情報を取得して電波ＯＦＦモードに再設定し、着信情報の非取得が予め設定されている場合には、電波ＯＦＦモードに再設定することを特徴とする。【００１５】
また、本発明による携帯無線機は、前記着信処理手段が、前記電波ＯＦＦモードが解除された場合に、第１の通信手段を介して着信の有無の問い合わせを行うと共に、その応答を受信した後に、または、電波ＯＦＦモードが解除されてから予め設定された時間が経過したとき、電波ＯＦＦモードに再度設定することを特徴とする。【００１６】
また、本発明による携帯無線機は、前記アクセス監視手段が、着信処理手段により電波ＯＦＦモードに再度設定された場合に、外部機器からのデータ処理のためのアクセスを監視し、予め設定された時間の間前記アクセスがないとき、電波ＯＦＦモードを再度解除することを特徴とする。【００１７】
本発明を携帯無線機として説明したが、本発明はこれらに実質的に相当する方法としても実現し得るものであり、本発明には、携帯無線機による通信制御方法も包含される。
【発明の効果】
【００１８】
本発明によれば、外部機器が接続されている場合に、外部機器からデータ処理のためのアクセスが一定時間行われないときは、外部機器からのアクセスがないように制御すると共に、電波ＯＦＦモードを一時的に解除し、着信有無の問い合わせをするようにした。これにより、外部機器が接続されている場合であっても、外部機器からのアクセスと無線通信によるアクセスとが競合することによる不具合が生じることがなく、着信の有無を確認することが可能となる。したがって、携帯無線機に備えた着信有無の確認機能が損なわれることがない。また、ユーザは、着信の有無を確認するために、外部機器の接続を解除する必要がない。さらに、前記競合による不具合が生じることがないから、安全性が確保される。
【図面の簡単な説明】
【００１９】
【図１】本発明の実施の形態による携帯無線機の概略構成を示すブロック図である。
【図２】図１の制御部の機能を示すブロック図である。
【図３】図１の携帯無線機の通信制御処理を説明するフローチャート図である。
【図４】図３の着信処理を説明するフローチャート図である。
【図５】携帯無線機とＰＣとの間の通信手順、及び携帯無線機とサーバとの間の通信手順を説明する図である。
【図６】着信設定処理において表示部に表示される画面例を示す図である。
【図７】着信処理において表示部に表示される画面例を示す図である。
【符号の説明】
【００２０】
１  携帯無線機
１０  制御部
１１  ファイルシステム制御手段
１２  電波ＯＦＦモード制御手段
１３  アクセス監視手段
１４  ＵＳＢ制御手段
１５  着信処理手段
１６  着信設定手段
２０  無線通信部
３０  ＵＳＢ通信部
４０  表示部
５０  操作部
６０  音声入力部
７０  音声出力部
８０  メモリカード
９０  ＰＣ
１００  サーバ
１１０  センター
１２０  無線通信網
１３０  ＵＳＢケーブル
【発明を実施するための最良の形態】
【００２１】
以下、本発明の実施の形態について図面を参照して説明する。
〔構成〕
まず、本発明の実施の形態に係る携帯無線機の構成について説明する。図１は、携帯無線機の概略構成を示すブロック図である。この携帯無線機１は、センター１１０に設けられたサーバ１００との間で不図示の基地局に接続された無線通信網１２０を介して、無線通信により電子メール、音声データ及び画像データ等の送受信が可能であり、かつ、ＰＣ９０との間でＵＳＢケーブル１３０を介して、ＰＣ９０からのコマンドに応じてメモリカード８０にデータを読み書きすることが可能な端末である。図１に示すように、携帯無線機１は、制御部１０、無線通信部２０、ＵＳＢ通信部３０、表示部４０、操作部５０、音声入力部６０、音声出力部７０及びメモリカード８０を備えている。【００２２】
無線通信部２０は、サーバ１００から無線通信網１２０を介して送信されるデータを着信すると共に、携帯無線機１におけるデータ等をサーバ１００へ送信する。ＵＳＢ通信部３０は、ＵＳＢ規格による通信プロトコルに準じて、ＵＳＢケーブル１３０を介してＰＣ９０から送信されたコマンドを受信すると共に、コマンドに対するレスポンスをＰＣ９０へ送信する。【００２３】
表示部４０は、例えばＬＣＤであり、制御部１０によりデータが表示される。操作部５０は、例えば押ボタンであり、ユーザ操作によるデータを制御部１０に出力する。また、音声入力部６０は、例えばマイクであり、無線通信部２０を介して電話通信を行う場合にユーザの音声を入力する。同様に、音声出力部７０は、例えばスピーカであり、無線通信部２０を介して電話通信を行う場合に、無線通信部２０により着信した音声を出力する。メモリカード８０は、マスストレージであり、ＵＳＢ通信部３０を介したＰＣ９０からのアクセスに応じて、制御部１０によりデータが書き込まれ、また、データが読み出される。【００２４】
制御部１０は、無線通信部２０、ＵＳＢ通信部３０、表示部４０、操作部５０、音声入力部６０、音声出力部７０及びメモリカード８０との間でデータの入出力を行い、携帯無線機１全体の制御を行う。【００２５】
図２は、図１に示した制御部１０の機能を示すブロック図である。制御部１０は、ファイルシステム制御手段１１、電波ＯＦＦモード制御手段１２、アクセス監視手段１３、ＵＳＢ制御手段１４、着信処理手段１５及び着信設定手段１６を備えている。【００２６】
ファイルシステム制御手段１１は、無線通信部２０を介して無線通信によりデータを着信した場合に、そのデータに基づいてファイルシステムへのアクセスを制御する。例えば、画像データまたは電子メールを着信した場合には、図示しない記憶手段に記憶し、表示部４０に表示する。また、音声データを受信した場合には、音声出力部７０に出力する。【００２７】
電波ＯＦＦモード制御手段１２は、ＵＳＢケーブル１３０が携帯無線機１のコネクタに接続された場合、または、ＵＳＢケーブル１３０が接続された後に操作部５０からユーザ操作の入力があった場合に、マスストレージモードに移行すると共に、無線通信部２０を介したデータ通信を行わない状態を示す電波ＯＦＦモードに設定する。これにより、無線通信部２０はサーバ１００から送信されるデータの着信を拒否し、ＵＳＢ通信部３０はＰＣ９０との間の通信を行う。また、電波ＯＦＦモード制御手段１２は、ＵＳＢケーブル１３０が携帯無線機１のコネクタから外された場合に、無線通信部２０を介したデータ通信が可能な状態にするために、電波ＯＦＦモードを解除する。さらに、マスストレージモードにおいて、メモリカード８０へのアクセスコマンドを一定時間受信しない場合に、電波ＯＦＦモードを解除する。さらに、マスストレージモードにおいて、電波ＯＦＦモードを解除してから一定時間経過した場合等の所定の条件を満たした場合に、電波ＯＦＦモードに再度設定する。尚、マスストレージモードにおける電波ＯＦＦモードの設定及び解除の条件についての詳細は後述する。【００２８】
アクセス監視手段１３は、マスストレージモードにおいて、ＰＣ９０からＵＳＢ通信部３０を介して受信したコマンドが、メモリカード８０に対するアクセスコマンドであるか否かを判定する。また、アクセスコマンドに対するレスポンスを送信した時点でタイマをリセットして起動する。つまり、アクセスコマンドを受信しない限りタイマの起動を継続する。そして、一定時間が経過してタイムアップしたときに、電波ＯＦＦモード制御手段１２に電波ＯＦＦモードを解除させる。ここで、メモリカード８０に対するアクセスコマンドとは、メモリカード８０にデータを書き込んだり、メモリカード８０からデータを読み出したりするコマンドである。本実施の形態では、ＳＣＳＩ規格に準拠したコマンドをＵＳＢの通信プロトコルを用いて携帯無線機１とＰＣ９０との間で通信が行われるようになっている。例えば、アクセスコマンドには、「ＷＲＩＴＥ６」「ＷＲＩＴＥ１０」「ＲＥＡＤ６」「ＲＥＡＤ１０」「ＭＯＤＥ＿ＳＥＮＳＥ６」「ＭＯＤＥ＿ＳＥＮＳＥ１０」「ＲＥＡＤ＿ＣＡＰＡＣＩＴＹ」「ＳＥＮＤ＿ＤＩＡＧＮＯＳＴＩＣ」がある。【００２９】
ＵＳＢ制御手段１４は、マスストレージモードにおいて、電波ＯＦＦモード制御手段１２により電波ＯＦＦモードが設定されている場合には、ＰＣ９０からメモリカード８０へのアクセスを受け入れる。一方、ＵＳＢ制御手段１４は、マスストレージモードにおいて、電波ＯＦＦモード制御手段１２により電波ＯＦＦモードが解除された場合には、メモリカード８０であるメディアが存在しない状態（あるいはメディアが準備できていない状態でもよい）を仮想的に設定する。この場合、ＵＳＢ制御手段１４は、ＰＣ９０から「ＴＥＳＴ＿ＵＮＩＴ＿ＲＥＡＤＹ」コマンドを受信した場合には、データ処理を行わせないようにするための情報として「ＣＯＭＭＡＮＤ＿ＦＡＩＬＥＤ」レスポンスをＰＣ９０へ送信する。ここで、「ＴＥＳＴ＿ＵＮＩＴ＿ＲＥＡＤＹ」コマンドは、ＰＣ９０が定期的に送信するコマンドであり、ストレージへのアクセス、すなわちメモリカード８０へのアクセスが可能か否かを問い合わせるためのコマンドである。また、ＵＳＢ制御手段１４は、ＰＣ９０から「ＲＥＱＵＥＳＴ＿ＳＥＮＳＥ」コマンドを受信した場合には、メモリカード８０が存在しないことを示す「ＮＯ＿ＭＥＤＩＡ」レスポンスをＰＣ９０へ送信する。ここで、「ＲＥＱＵＥＳＴ＿ＳＥＮＳＥ」コマンドは、「ＴＥＳＴ＿ＵＮＩＴ＿ＲＥＡＤＹ」コマンドに対する「ＣＯＭＭＡＮＤ＿ＦＡＩＬＥＤ」レスポンスを受けて、メモリカード８０へアクセスできない理由を問い合わせるためのコマンドである。【００３０】
着信処理手段１５は、マスストレージモードにおいて、新着の電子メール及び留守番伝言等の着信の有無を確認するためのセンター問い合わせを無線通信部２０を介してサーバ１００へ送信し、着信有無の応答を受信する。そして、着信有りの応答を受信した場合には、サーバ１００から着信情報を取得するための着信情報取得処理、及びＰＣ９０からメモリカード８０へのアクセスを行うためのマスストレージ処理のうちのいずれか一方の処理を、着信設定手段１６により予めなされたユーザのデフォルト設定（自動設定）、または着信有りの応答を受信したときのユーザによる操作設定（手動設定）に基づいて決定する。着信情報取得処理を決定した場合は、着信情報をサーバ１００から取得して表示部４０に表示する。マスストレージ処理を行うことを決定した場合は、電波ＯＦＦモード制御手段１２に電波ＯＦＦモードの再設定を行わせ、アクセス監視手段１３にタイマーをリセットさせる。【００３１】
着信設定手段１６は、着信処理手段１５がサーバ１００から着信有りの応答を受信した場合の処理を、ユーザ操作により予め設定する。具体的には、着信情報取得処理またはマスストレージ処理を、手動で行う（着信有りの応答を受信したときにユーザに選択させる）のか、または、自動で行う（予めユーザに選択させておく）のかを設定する。図６は、着信設定手段１６が行う着信設定処理において、着信有りの応答を受信した場合の処理モード及び処理内容を設定するための画面例を示す。着信設定手段１６は、ユーザによる操作部５０を介した操作に従い、図６（Ａ）の画面を表示部４０に表示して、「手動」または「自動」のモードを選択させる。ユーザの選択により、「手動」または「自動」モードがデフォルトとして設定される。また、「自動」モードが設定された場合には、図６（Ｂ）の画面を表示部４０に表示して処理を選択させる。ユーザの選択により、「自動」モードにおける「着信情報取得処理」または「マスストレージ処理」がデフォルトとして設定される。【００３２】
〔動作〕
次に、図１に示した携帯無線機１の動作について説明する。図３は、携帯無線機１の通信制御処理の全体を説明するフローチャート図であり、図４は、図３に示す通信制御処理のうちの着信処理を説明するフローチャート図である。図５は、携帯無線機１とＰＣ９０との間の通信手順、及び携帯無線機１とサーバ１００との間の通信手順を説明する図である。図７は、着信処理において表示部４０に表示される画面例を示す図である。以下、図３〜５，７を参照して説明する。【００３３】
まず、ユーザがＵＳＢケーブル１３０を携帯無線機１のコネクタに接続すると、ＵＳＢ通信部３０がその接続を認識し、ＰＣ９０からメモリカード８０へのアクセスが可能なマスストレージモードに移行する（ステップＳ３０１）。そして、制御部１０の電波ＯＦＦモード制御手段１２は、電波ＯＦＦモードに設定する（ステップ３０２）。これにより、ＵＳＢ通信部３０を介したＰＣ９０からメモリカード８０へのアクセスが可能となる。また、無線通信部２０を介した通信データの送受信が不可能となる。【００３４】
マスストレージモードに移行した場合、図５に示すように、制御部１０は、ＵＳＢ通信部３０を介してＰＣ９０からコマンドを受信しレスポンスを送信する。例えば、ＰＣ９０から定期的に送信される「ＴＥＳＴ＿ＵＮＩＴ＿ＲＥＡＤＹ」コマンドを受信すると、ＰＣ９０からメモリカード８０へのアクセスが可能であるから、「ＯＫ」レスポンスを送信する。【００３５】
アクセス監視手段１３は、ＰＣ９０からメモリカード８０へのアクセスコマンドの受信を監視し、アクセスコマンドのレスポンスが送信されてから、予め設定された時間が経過するまで、アクセスコマンドを受信したか否かをタイマーにて監視する（ステップＳ３０３，３０４）。タイマーが満了（タイムアップ）した場合には、電波ＯＦＦモード制御手段１２は、電波ＯＦＦモードを解除する（ステップＳ３０５）。これにより、無線通信部２０を介した通信データの送受信が可能となる。また、ＵＳＢ制御手段１４は、メモリカード８０が存在しない状態を仮想的に設定する（ステップＳ３０６）。これにより、ＵＳＢ通信部３０を介したＰＣ９０からメモリカード８０へのアクセスが不可能となる。【００３６】
メモリカード８０が仮想的に存在しない状態に設定され、電波ＯＦＦモードが解除されると、図５に示すように、ＵＳＢ制御手段１４は、ＰＣ９０から「ＴＥＳＴ＿ＵＮＩＴ＿ＲＥＡＤＹ」コマンドを受信し、ＰＣ９０からのアクセスが不可能であることを示す「ＣＯＭＭＡＮＤ＿ＦＡＩＬＥＤ」レスポンスを送信する。そして、「ＲＥＱＵＥＳＴ＿ＳＥＮＳＥ」コマンドを受信し、メモリカード８０が存在しないことを示す「ＮＯ＿ＭＥＤＩＡ」レスポンスを送信する。【００３７】
図３に戻って、着信処理手段１５は、着信の有無を確認するためのセンター問い合わせをサーバ１００へ送信し、着信の有無の応答を受信する（ステップＳ３０７）。この場合、図７（Ａ）（Ｂ）に示すように、着信有無の表示画面を表示部４０に表示する。そして、着信が有ることを示す応答を受信した場合には、図４に示す着信処理を行う（ステップＳ３０８，３０９）。【００３８】
図４を参照して、着信処理手段１５は、着信設定手段１６により設定された「手動」モードまたは「自動」モードを判断し（ステップＳ４０１）、「手動」である場合、図７（Ｃ）に示す画面を表示部４０に表示し、着信情報取得処理及びマスストレージ処理のうちのいずれか一方の処理をユーザに選択させる（ステップＳ４０２）。そして、着信処理手段１５は、「手動」モードであって着信情報取得処理が選択された場合、または、「自動」モードであって着信情報取得処理が予め設定されていた場合に、サーバ１００から具体的な着信情報を取得する（ステップＳ４０４）。例えば、着信処理手段１５は、サーバ１００から着信した電子メールの書誌事項や留守番伝言を取得する。【００３９】
尚、着信情報が電子メールの場合、取得するデータの種類は、ユーザにより予め設定されるようにしてもよい。例えば、ユーザの設定によって、書誌事項に加えて本文を取得するようにしてもよいし、本文及び添付ファイルを取得するようにしてもよい。また、着信処理手段１５は、センター問い合わせに対して着信有無の応答を受信するようにしたが、着信有無の応答の代わりに電子メールの書誌事項等の着信情報を直接受信するようにしてもよい。【００４０】
図３に戻って、ステップ３０９において着信処理が終了すると、ステップ３０８において着信無しの応答を受信した場合、または、ステップ３０７において着信有無の応答を、センター問い合わせを送信してから予め設定された時間を経過しても受信できなかった場合（図示せず）、ＵＳＢ制御手段１４は、メモリカード８０が存在しない状態の仮想的な設定を解除する（ステップＳ３１０）。これにより、ＵＳＢ通信部３０を介したＰＣ９０からメモリカード８０へのアクセスが可能となる。そして、ステップ３０２に移行し、電波ＯＦＦモード制御手段１２は、電波ＯＦＦモードに設定する。これにより、無線通信部２０を介した通信データの送受信が不可能となる。【００４１】
メモリカード８０が存在しない状態の仮想的な設定が解除され、電波ＯＦＦモードが設定されると、図５に示すように、ＵＳＢ制御手段１４は、ＰＣ９０から、「ＲＥＱＵＥＳＴ＿ＳＥＮＳＥ」コマンドを受信し、メモリカード８０が存在することを示す「ＭＥＤＩＡ＿ＣＨＡＮＧＥ」レスポンスを送信する。そして、「ＴＥＳＴ＿ＵＮＩＴ＿ＲＥＡＤＹ」コマンドを受信し、ＰＣ９０からメモリカード８０へのアクセスが可能であることを示す「ＣＯＭＭＡＮＤ＿ＰＡＳＳＥＤ」レスポンスを送信する。【００４２】
また、アクセス監視手段１３は、タイマーをリセットし、アクセスコマンドの受信を監視する。このようにして、ステップ３０２〜３１０の処理は、ＵＳＢケーブル１３０が外されてマスストレージモードが解除されるまで繰り返される（図示せず）。【００４３】
以上のように、本発明の実施の形態による携帯無線機１によれば、ＰＣ９０が接続されてマスストレージモードに移行した場合であっても、アクセス監視手段１３が、ＰＣ９０からアクセスコマンドを一定時間受信しない場合には、電波ＯＦＦモード制御手段１２に電波ＯＦＦモードの設定を一時的に解除させるようにした。そして、ＵＳＢ制御手段１４が、メモリカード８０が存在しない状態を仮想的に設定してＰＣ９０からのアクセスコマンドに基づくデータ処理を行わせないようにすると共に、着信処理手段１５が着信の有無を問い合わせるようにした。これにより、携帯無線機１は、マスストレージモード中に着信の有無を確認することができるから、携帯無線機１が備えている着信有無の確認機能を損なうことがない。【００４４】
また、本発明の実施の形態による携帯無線機１によれば、着信設定手段１６が、着信有りの応答を受信した場合の処理として、手動または自動をユーザ操作により予め設定し、自動の場合は、さらに、着信情報取得処理またはマスストレージ処理のうちのいずれか一方の処理を優先させるかについてユーザ操作により予め設定するようにした。これにより、着信処理手段１５が着信有りの応答を受信した場合、着信設定手段１６によりユーザの意思に従った処理が行われる。【００４５】
また、本発明の実施の形態による携帯無線機１によれば、着信処理手段１５が、着信の有無を問い合わせてから、一定時間経過してもその応答を受信しなかった場合には、メモリカード８０が存在しない状態の仮想的な設定を解除すると共に、電波ＯＦＦモードに設定し、通常のマスストレージモードの処理を行うようにした。これにより、サーバ１００からの応答がなくても、電波ＯＦＦモードが解除された状態が長時間継続することがなく、一定時間経過した後に通常のマスストレージモードに戻り、ＰＣ９０からメモリカード８０へのアクセスが可能となる。【００４６】
以上、実施の形態を挙げて本発明を説明したが、本発明は上記実施の形態に限定されるものではなく、本発明の精神及び意図を逸脱しない限り、種々変形が可能である。例えば、上記実施の形態では携帯無線機を想定して説明したが、本発明は、携帯電話機等の無線通信機能を備えた携帯端末にも適用がある。この場合、カメラ機能等の付随的な機能を備えていてもよい。また、上記実施の形態では、ＰＣとの間でＵＳＢ規格に準じた通信を行うようにしたが、本発明は、ＵＳＢ規格以外の通信手段にも適用があり、ＰＣが携帯無線機に搭載されたメモリカード等へアクセスするための通信手段であればよい。
【図１】
0004562794.tif 000002
【図２】
0004562794.tif 000003
【図３】
0004562794.tif 000004
【図４】
0004562794.tif 000005
【図５】
0004562794.tif 000006
【図６】
0004562794.tif 000007
【図７】
0004562794.tif 000008